(57)【要約】【課題】簡単な操作で、複数の機器のグルーピングを可能とし、また、タイトル情報によってグループを容易に区別できる通信機器を提供すること。【解決手段】台数管理手段によって携帯機器の台数を取得し、携帯機器の台数が２台以上になった場合には、グループＩＤを生成し、通信領域にあるすべての携帯機器にグループＩＤを通知する。その後、携帯機器の台数が増えた場合には、追加された携帯機器にグループＩＤを通知し、また、携帯機器の台数が少なくとも１台はある場合には、グループＩＤを保持する。【選択図】図１
2017120956.tif 000002
【特許請求の範囲】
【請求項１】
複数の携帯機器をグルーピングする通信機器において、通信領域にある携帯機器を検出するための携帯機器検出手段、携帯機器検出手段が検出している携帯機器の台数を管理するための台数管理手段、ユニークなグループＩＤを生成するためのグループＩＤ生成手段、携帯機器にグループＩＤを通知するためのグループＩＤ通知手段、グルーピング制御手段を備えた通信機器であって、グルーピング制御手段は、台数管理手段によって携帯機器の台数を取得し、携帯機器の台数が２台以上になった場合には、グループＩＤ生成手段によってグループＩＤを生成し、グループＩＤ通知手段によって通信領域にあるすべての携帯機器にグループＩＤを通知し、その後は、携帯機器の台数が増えた場合には、グループＩＤ通知手段によって追加された携帯機器にグループＩＤを通知し、また、携帯機器の台数が少なくとも１台はある場合には、グループＩＤを保持することを特徴とする通信機器。
【請求項２】
さらに、グルーピング制御手段は、台数管理手段によって携帯機器の台数を取得し、通信領域の携帯機器の台数が０台になった場合には、該グループＩＤを破棄することを特徴とする請求項１に記載の通信機器。
【請求項３】
さらに、ユーザに動作中であること表示するための動作表示手段を備え、グルーピング制御手段は、台数管理手段によって携帯機器の台数を取得し、携帯機器の台数が２台以上になった場合には、表示手段によってグルーピング動作中である状態の表示とし、また、通信領域の携帯機器の台数が０台になった場合には、表示手段によってグルーピング動作中でない状態の表示とすることを特徴とする請求項１又は請求項２に記載の通信機器。
【請求項４】
さらに、携帯機器のＩＤを取得するための携帯機器ＩＤ取得手段と、複数の携帯機器ＩＤを記憶するための携帯機器ＩＤ記憶手段と、携帯機器ＩＤ記憶手段から携帯機器のＩＤを検索するための携帯機器ＩＤ検索手段を備え、グルーピング制御手段は、台数管理手段によって携帯機器の台数を取得し、携帯機器の台数が２台以上になった場合には、グループＩＤ生成手段によってグループＩＤを生成し、グループＩＤ通知手段によって通信領域にあるすべての携帯機器にグループＩＤを通知し、携帯機器ＩＤ取得手段によって通信領域にあるすべての携帯機器の携帯機器ＩＤを取得し、携帯機器ＩＤ記憶手段によって取得したすべての携帯機器ＩＤを記憶し、その後は、携帯機器の台数が増えた場合には、グループＩＤ通知手段によって追加された携帯機器にグループＩＤを通知し、携帯機器ＩＤ取得手段によって追加された携帯機器の携帯機器ＩＤを取得し、携帯機器ＩＤ検索手段によって追加された携帯機器の携帯機器ＩＤを携帯機器ＩＤ記憶手段から検索し、見つからない場合には、携帯機器ＩＤ記憶手段によって取得した携帯機器ＩＤを記憶することを特徴とする請求項１乃至請求項３の何れか一項に記載の通信機器。
【請求項５】
さらに、ユーザに重複している旨を警告するための重複警告手段を備え、グルーピング制御手段は、台数管理手段によって携帯機器の台数を取得し、携帯機器の台数が増えた場合には、携帯機器ＩＤ取得手段によって追加された携帯機器の携帯機器ＩＤを取得し、携帯機器ＩＤ検索手段によって追加された携帯機器の携帯機器ＩＤを携帯機器ＩＤ記憶手段から検索し、見つかった場合には、重複警告手段によって、ユーザに重複している場合の警告を行うことを特徴とする請求項１乃至請求項４の何れか一項に記載の通信機器。
【請求項６】
さらに、携帯機器に重複していることを通知するための重複通知手段を備え、グルーピング制御手段は、台数管理手段によって携帯機器の台数を取得し、携帯機器の台数が増えた場合には、携帯機器ＩＤ取得手段によって追加された携帯機器の携帯機器ＩＤを取得し、携帯機器ＩＤ検索手段によって追加された携帯機器の携帯機器ＩＤを携帯機器ＩＤ記憶手段から検索し、見つかった場合には、重複通知手段によって、携帯機器に重複していることを通知することを特徴とする請求項１乃至請求項５の何れか一項に記載の通信機器。
【請求項７】
さらに、タイトルを記憶するためのタイトル記憶手段と、タイトルを携帯機器に通知するためのタイトル通知手段を備え、グルーピング制御手段は、台数管理手段によって携帯機器の台数を取得し、携帯機器の台数が２台以上になった場合には、タイトル記憶手段から記憶されているタイトルを読み出し、タイトル通知手段によって通信領域にあるすべての携帯機器にタイトルを通知し、その後、携帯機器の台数が増えた場合には、タイトル記憶手段から記憶されているタイトルを読み出し、タイトル通知手段によって追加された携帯機器にタイトルを通知することを特徴とする請求項１乃至請求項６の何れか一項に記載の通信機器。
【請求項８】
さらに、現在の時刻を提供するための時計と、通信機器のＩＤを記憶するための通信機器ＩＤ記憶手段を備え、グループＩＤ生成手段は、グループＩＤを要求されると、時計から時刻を読み出し、通信機器ＩＤ記憶手段から通信機器のＩＤを読み出し、そして、すくなくとも時刻と通信機器のＩＤに基づいて生成することを特徴とする請求項１乃至請求項７の何れか一項に記載の通信機器。
【請求項９】
さらに、時刻を携帯機器に通知するための時刻通知手段を備え、グルーピング制御手段は、台数管理手段によって携帯機器の台数を取得し、携帯機器の台数が２台以上になった場合には、時計から時刻を読み出し、時刻通知手段によって通信領域にあるすべての携帯機器に時刻を通知し、その後、携帯機器の台数が増えた場合には、時計から時刻を読み出し、時刻通知手段によって追加された携帯機器に時刻を通知することを特徴とする請求項１乃至請求項８の何れか一項に記載の通信機器。
【請求項１０】
複数の携帯機器をグルーピングする通信機器において、通信領域にある携帯機器を検出するための携帯機器検出手段、携帯機器検出手段が検出している携帯機器の台数を管理するための台数管理手段、携帯機器からグループＩＤを取得するためのグループＩＤ取得手段、携帯機器にグループＩＤを通知するためのグループＩＤ通知手段、グルーピング制御手段を備えた通信機器であって、グルーピング制御手段は、台数管理手段によって携帯機器の台数を取得し、携帯機器の台数が１台以上になった場合には、グループＩＤ取得手段によってグループＩＤの取得を試み、グループＩＤの取得に成功し、かつ、携帯機器の台数が増えた場合には、グループＩＤ通知手段によって追加された携帯機器にグループＩＤを通知し、また、携帯機器の台数が少なくとも１台はある場合には、グループＩＤを保持することを特徴とする通信機器。
【発明の詳細な説明】
【技術分野】
【０００１】
本発明は、複数の携帯機器をグルーピング可能な通信装置に関する。
【背景技術】
【０００２】
家族、友人、知人などと旅行等に出かけたときに旅行先の写真を共有したいという要望がある。さらには、そこにいた人だけでグループを作り、その後、相互に通信したいという要求もある。このように、携帯可能な機器を簡単な操作でグループを形成する方法が望まれている。
【０００３】
それぞれの機器がＩＤを送信して、そのＩＤを受信した機器がグループＩＤとして登録して、そのＩＤを用いて相互に通信可能にする技術が特許文献１に提案されている。また、複数の機器が乱数を配信され、それぞれが暗号鍵を作り、それを用いて相互に通信する技術が特許文献２に提案されている。
【先行技術文献】
【特許文献】
【０００４】
【特許文献１】特開２００８−０８５７８４号公報
【特許文献２】特開２００８−２２７８４６号公報
【発明の概要】
【発明が解決しようとする課題】
【０００５】
しかしながら、いずれの技術もあらかじめ設定が必要であり、また、特殊な操作が必要である。また、複数のグループがある場合の区別が困難であった。
【課題を解決するための手段】
【０００６】
上記の課題を解決するために、本発明に係る通信機器は、
通信領域にある携帯機器を検出するための携帯機器検出手段、携帯機器検出手段が検出している携帯機器の台数を管理するための台数管理手段、ユニークなグループＩＤを生成するためのグループＩＤ生成手段、携帯機器にグループＩＤを通知するためのグループＩＤ通知手段、グルーピング制御手段を備えた通信機器であって、グルーピング制御手段は、台数管理手段によって携帯機器の台数を取得し、携帯機器の台数が２台以上になった場合には、グループＩＤ生成手段によってグループＩＤを生成し、グループＩＤ通知手段によって通信領域にあるすべての携帯機器にグループＩＤを通知し、その後は、携帯機器の台数が増えた場合には、グループＩＤ通知手段によって追加された携帯機器にグループＩＤを通知し、また、携帯機器の台数が少なくとも１台はある場合には、グループＩＤを保持することを特徴とする。
【発明の効果】
【０００７】
本発明に係る通信機器によれば、簡単な操作で、複数の機器のグルーピングを可能としている。また、タイトル情報によってグループを容易に区別できる。
【図面の簡単な説明】
【０００８】
【図１】本発明による通信機器のブロック図である。
【図２】本発明による通信機器の外観である。
【図３】ＲＯＭ１１に格納されているプログラムやデータの内容を説明するための図である。
【図４】ＲＡＭ１２に領域が確保されている変数や作業領域を説明するための図である。
【図５】本発明による通信機器の動作を説明するためのフローチャートである。
【図６】本発明に関わる携帯機器のブロック図である。
【図７】本発明に関わる携帯機器の動作を説明するためのフローチャートである。
【図８】本発明の全体の動作を説明するための図である。
【図９】本発明によるもう一つの通信機器の動作を説明するためのフローチャートである。
【発明を実施するための形態】
【０００９】
本発明を実施するための形態の例として以下の実施例で説明する。
【００１０】
（実施例１）
まず、本発明による通信機器の構成を図１から図４を用いて説明する。図１は本発明による通信機器のブロック図である。
【００１１】
図１において、１０はプロセッサ（以下ＣＰＵという）、１１は読み出し専用メモリ（以下ＲＯＭという）、１２は作業用メモリ（以下ＲＡＭという）、１３は時計、１９はシステムバス、２０は携帯機器検出回路、２１〜２３は機器検出アンテナ、３０は無線通信回路、３１〜３３は無線通信アンテナ、４０は表示回路、４１はＬＣＤパネル、５０は有線通信回路、５１はネットワーク接続端子である。
【００１２】
ＣＰＵ１０は、ＲＯＭ１１に格納されているグルーピングするためのプログラムを実行する。そのとき、作業領域としてＲＡＭ１２を用いる。時計１３は、現在の時刻をカウントしている。システムバス１９は、接続されている各ブロック間の命令およびデータの転送を可能としている。
【００１３】
携帯機器検出回路２０は、機器検出用アンテナ２１〜２３を利用して、検出領域２に置かれる携帯機器を監視している。無線通信回路３０は、無線通信アンテナ３１〜３３を利用して、検出領域２に置かれる携帯機器と双方向に通信することができる。表示回路４０は、ＬＣＤパネル４１を駆動して、ユーザに対して、状態や警告を表示することができる。有線通信回路５０は、ネットワーク接続端子５１を介して外部のネットワークと通信することができる。
【００１４】
図２は本発明による通信機器の外観である。
【００１５】
図２において、１は通信機器本体、２は通信領域、３ａ〜３ｃは指標である。
【００１６】
通信機器本体１には、ＬＣＤパネル４１が設けられ、装置の状態や警告をユーザに表示するようになっている。
【００１７】
また、通信領域２には、左部分、中央部分、右部分に対して、指標３ａ〜３ｃが設けられ、それぞれ、機器検出用アンテナ２１〜２３および無線通信アンテナ３１〜３３の位置に合わせてあり、ユーザは指標３ａ〜３ｃに合わせて携帯機器を置くことで、携帯機器検出回路２０による検出および無線通信回路３０による通信が可能となっている。
【００１８】
図３はＲＯＭ１１に格納されているプログラムやデータの内容を説明するための図である。
【００１９】
図３において、１００はグルーピング制御処理、１１０は台数管理処理、１２０はグループＩＤ取得処理、１２１はグループＩＤ生成処理、１２２はグループＩＤ通知処理、１３０は携帯機器ＩＤ取得処理、１３１は携帯機器ＩＤ登録処理、１３２は携帯機器ＩＤ検索処理、１４０は重複警告処理、１４１は重複通知処理、１５０はタイトル通知処理、１６０は時刻通知処理、１８０は通信機器ＩＤ情報、１８１はタイトル情報である。
【００２０】
図４はＲＡＭ１２に領域が確保されている変数や作業領域を説明するための図である。
【００２１】
図４において、２００はグループＩＤ、２１０は携帯機器ＩＤである。
【００２２】
次に、ＲＯＭ１１およびＲＡＭ１２の内容を説明する。
【００２３】
グルーピング制御処理１００は、他の処理を呼び出すなどして、グルーピングを行うためのメインの処理である。
【００２４】
台数管理処理１１０は、携帯機器検出処理２０を監視し、通信領域２に何台の携帯機器が置かれているかを管理しており、台数が増加した場合には、増加後の台数と増加した携帯機器が場所情報を他の処理に対して発信する処理である。また、台数が減少した場合には、減少後の台数を他の処理に対して発信する処理である。
【００２５】
グループＩＤ取得処理１２０は、無線通信回路３０を利用して、指定された携帯機器から、その機器が公開しているグループＩＤを取得して、ＲＡＭ１２内のグループＩＤ２０１に格納する処理である。グループＩＤ生成処理１２１は、ＲＯＭ１１内の通信機器ＩＤ情報１８０と時計３１３から取得した時刻情報からユニークなグループＩＤを生成して、ＲＡＭ１２内のグループＩＤ２０１に格納する処理である。
【００２６】
グループＩＤ通知処理１２２は、無線通信回路３０を利用して、指定された携帯機器にＲＡＭ１２内のグループＩＤ２０１を通知する処理である。携帯機器ＩＤ取得処理１３０は、無線通信回路３０を利用して、指定された携帯機器から、その機器固有のＩＤを取得する処理である。
【００２７】
携帯機器ＩＤ登録処理１３１は、携帯機器固有のＩＤをＲＡＭ１２内の携帯機器ＩＤ２１０に登録する処理である。携帯機器ＩＤ検索処理１３２は、指定された携帯機器のＩＤがＲＡＭ１２内の携帯機器ＩＤ２１０にすでに存在するかを検索する処理である。
【００２８】
重複警告処理１４０は、表示回路４０を利用して、重複警告をＬＣＤパネル４１に表示するための処理である。重複通知処理１４１は、無線通信回路３０を利用して、重複していることを指定された携帯機器に通知する処理である。
【００２９】
タイトル通知処理１５０は、無線通信回路３０を利用して、ＲＯＭ１１内のタイトル情報１８１を指定された携帯機器に通知する処理である。時刻通知処理１６０は、無線通信回路３０を利用して、時計３１３から取得した時刻情報を指定された携帯機器に通知する処理である。
【００３０】
通信機器ＩＤ情報１８０は、通信機器固有のＩＤである。タイトル情報１８１は、通信機器を設置した者によって設定されている通信機器の設置場所等を説明するため文字情報である。
【００３１】
グループＩＤ２００は、グルーピング動作中には、そのグループ固有のＩＤを保持している。携帯機器ＩＤ２１０は、複数の携帯機器のＩＤを格納することが可能であって、グルーピング動作中は、そのグループに属している携帯機器のＩＤを保持している。
【００３２】
図５は本発明による通信機器の動作を説明するためのフローチャートである。図５のフローチャートは、グルーピング処理１００の処理に対応する。以降、ＣＰＵ１０の動作をステップ３００から順に説明していく。
【００３３】
ＣＰＵ１０は、ステップ３００において、グルーピング処理１００の処理を開始する。
【００３４】
ステップ３０１において、台数管理処理１１０を利用して、通信領域２に置いてある携帯機器を検出する。
【００３５】
ステップ３０２において、携帯機器の台数が２台以上か判定して、２台以上ならば、ステップ３０３へ分岐し、そうでなければ、ステップ３０１へ分岐し処理を繰り返す。
【００３６】
ステップ３０３において、グループＩＤ生成処理１２１を利用して、グループＩＤを生成する。
【００３７】
ステップ３０４において、携帯機器ＩＤ取得処理１３０を利用して、ステップ３０１において検出されたすべての携帯機器ＩＤを取得する。
【００３８】
ステップ３０５において、携帯機器ＩＤ登録処理１３１を利用して、ステップ３０４において取得したすべての携帯機器ＩＤを登録する。
【００３９】
ステップ３０６において、グループＩＤ通知処理１２２を利用して、ステップ３０３に置いて生成したグループＩＤをステップ３０１において検出されたすべての携帯機器に通知する。
【００４０】
ステップ３０７において、時刻通知処理１６０を利用して、ステップ３０１において検出されたすべての携帯機器に時刻情報を通知する。
【００４１】
ステップ３０８において、タイトル通知処理１５０を利用して、ステップ３０１において検出されたすべての携帯機器にタイトル情報を通知する。
【００４２】
ステップ３２０において、台数管理処理１１０を利用して、通信領域２に置いてある携帯機器を検出する。
【００４３】
ステップ３２１において、ステップ３２０の検出の結果、携帯機器の台数が増えたかを判定して、増えた場合には、ステップ３２２へ、そうでなければ、ステップ３４０へ分岐する。
【００４４】
ステップ３２２において、携帯機器ＩＤ取得処理１３０を利用して、ステップ３２０において検出された増えた携帯機器ＩＤを取得する。
【００４５】
ステップ３２３において、携帯機器ＩＤ検索処理１３２を利用して、ステップ３２２において取得した携帯機器ＩＤを検索して、すでに登録済みかを判定して、登録済みならば、ステップ３３０へ分岐し、そうでなければ、３２５へ分岐する。
【００４６】
ステップ３２５において、携帯機器ＩＤ登録処理１３１を利用して、ステップ３２２において取得した携帯機器ＩＤを登録する。
【００４７】
ステップ３２６において、グループＩＤ通知処理１２２を利用して、ステップ３０３に置いて生成したグループＩＤをステップ３２０において検出された増えた携帯機器に通知する。
【００４８】
ステップ３２７において、時刻通知処理１６０を利用して、ステップ３２０において検出された増えた携帯機器に時刻情報を通知する。
【００４９】
ステップ３２８において、タイトル通知処理１５０を利用して、ステップ３２０において検出された増えた携帯機器にタイトル情報を通知する。そして、ステップ３２０に戻って、処理を繰り返す。
【００５０】
さて、ステップ３２３において、すでに登録済みかを判定された場合を説明する。
【００５１】
ステップ３３０において、重複警告処理１４０を利用して、重複警告を表示する。ステップ３３１において、重複通知処理１４１を利用して、携帯機器に重複していることを通知する。そして、ステップ３２０に戻って、処理を繰り返す。
【００５２】
さて、ステップ３２１において、携帯機器の台数が増えなかった場合について説明する。ステップ３４０において、携帯機器の台数が０台かを判定して、０台ならばステップ３４１へ分岐し、そうでなければ、ステップ３２０へ戻って処理を繰り返す。ステップ３４１において、ＲＡＭ１２内のグループＩＤ２００および携帯機器ＩＤ２１０を破棄する。
【００５３】
そして、ステップ３９９において、一連のグルーピング処理を終了する。
【００５４】
図６は本発明に関わる携帯機器のブロック図である。ここで、携帯機器として、デジタルカメラを想定しているが、本発明に関連しない部分については、説明を省略する。
【００５５】
図６において、４１０はＣＰＵ、４１１はＲＯＭ、４１２はＲＡＭ、４１３は時計、４１９はシステムバス、４３０は無線通信回路、４３１は無線通信アンテナ、４４０は表示回路、４４１はＬＣＤパネルである。
【００５６】
また、４５０は映像信号処理回路、４５１はイメージセンサ、４６０は画像圧縮伸長回路、４７０はメモリ・インターフェース回路（以下メモリＩＦ回路という）、４７１はメモリカードである。
【００５７】
図７は本発明に関わる携帯機器の動作を説明するためのフローチャートである。以降、ＣＰＵ４１０のグループピング処理５００の動作をステップ５０１から順に説明していく。
【００５８】
ステップ５０１において、無線通信回路４３０および無線通信アンテナ４３１によって、通信機器本体１から要求を受信する。
【００５９】
ステップ５０２において、ステップ５０１において受信した要求が、携帯機器ＩＤの取得を要求しているならば、ステップ５０３に分岐し、そうでなければ、ステップ５１０に分岐する。
【００６０】
ステップ５０３において、無線通信回路４３０および無線通信アンテナ４３１によって、ＲＯＭ４１１内にあらかじめ格納されている携帯機器ＩＤを通信機器本体１に通知する。そして、ステップ５０１に戻って、処理を繰り返す。
【００６１】
ステップ５１０に分岐した場合について説明する。ステップ５１０において、ステップ５０１において受信した要求が、グループＩＤの通知を要求しているならば、ステップ５１１に分岐し、そうでなければ、ステップ５２０に分岐する。
【００６２】
ステップ５１１において、無線通信回路４３０および無線通信アンテナ４３１によって、通信機器本体１からグループＩＤを受信する。
【００６３】
ステップ５１２において、メモリＩＦ回路４７０によって、受信したグループＩＤをメモリカード４７１に保存する。そして、ステップ５０１に戻って、処理を繰り返す。
【００６４】
ステップ５２０に分岐した場合について説明する。
【００６５】
ステップ５１０において、ステップ５０１において受信した要求が、タイトル情報の通知を要求しているならば、ステップ５２１に分岐し、そうでなければ、ステップ５３０に分岐する。
【００６６】
ステップ５２１において、無線通信回路４３０および無線通信アンテナ４３１によって、通信機器本体１からタイトル情報を受信する。ステップ５２２において、メモリＩＦ回路４７０によって、受信したタイトル情報をメモリカード４７１に保存する。
【００６７】
そして、ステップ５０１に戻って、処理を繰り返す。
【００６８】
ステップ５３０に分岐した場合について説明する。
【００６９】
ステップ５３０において、ステップ５０１において受信した要求が、時刻情報の通知を要求しているならば、ステップ５３１に分岐し、そうでなければ、ステップ５４０に分岐する。
【００７０】
ステップ５３１において、無線通信回路４３０および無線通信アンテナ４３１によって、通信機器本体１から時刻情報を受信する。
【００７１】
ステップ５３２において、受信した時刻情報に基づいて時計１３を設定する。
【００７２】
そして、ステップ５０１に戻って、処理を繰り返す。
【００７３】
ステップ５４０に分岐した場合について説明する。
【００７４】
ステップ５４０において、ステップ５０１において受信した要求が、グループＩＤの取得を要求しているならば、ステップ５４１に分岐し、そうでなければ、ステップ５５０に分岐する。
【００７５】
ステップ５４１において、ユーザによって設定されているセキュリティ設定、あるいは、グループＩＤの種類やロックなどによって、グループＩＤの公開が禁止されている場合は、５０１へ分岐し、処理を繰り返し、そうでなければ、ステップ５４２に分岐する。
【００７６】
ステップ５４２において、メモリＩＦ回路４７０によって、メモリカード４７１に保存されていたグループＩＤを読み出し、無線通信回路４３０および無線通信アンテナ４３１によって、読み出したグループＩＤを通信機器本体１に通知する。
【００７７】
そして、ステップ５０１に戻って、処理を繰り返す。
【００７８】
ステップ５５０に分岐した場合について説明する。
【００７９】
ステップ５５０において、ステップ５０１において受信した要求が、警告通知を要求しているならば、ステップ５５１に分岐し、そうでなければ、ステップ５０１に分岐し、処理を繰り返す。
【００８０】
ステップ５５１において、表示回路４４０によって、重複警告表示をＬＣＤパネル４４１に表示する。
【００８１】
そして、ステップ５０１に戻って、処理を繰り返す。
【００８２】
図８は本発明の全体の動作を説明するための図である。図８（Ａ）は通信装置本体の上に携帯機器Ａが１台載っている状態である。図８（Ｂ）はさらに携帯機器Ｂが載せられた状態である。ここで、携帯機器が２台以上となり、グルーピング動作が開始され、携帯機器Ａおよび携帯機器ＢにグループＩＤが付与される。図８（Ｃ）は携帯機器Ｂを取り除いた状態である。図８（Ｄ）はその後携帯機器Ｃが載せられた状態である。そして、携帯機器ＣにグループＩＤが付与される。図８（Ｅ）はその後携帯機器Ａを取り除いた状態である。図８（Ｆ）はさらに携帯機器Ｃを取り除いた状態である。ここで、携帯機器が０台となり、グルーピング動作が終了する。
【００８３】
以上、説明したように、簡単な操作で、複数の機器のグルーピングを可能とするものである。また、複数のグループがある場合の区別が困難であったが、タイトル情報を通信機器から携帯機器に通知するので、それをもとにグループを選択可能である。さらには、画像を共有する場合に、携帯機器の時刻の誤差により、整理しにくい場合があったが、時刻情報を通信機器から携帯機器に通知するので、画像のタイムラインがそろって整理しやくしている。
【００８４】
（実施例２）
実施例２は、実施例１に対して、通信機器の動作が少し異なるものであるので、差異についてのみ説明する。
【００８５】
図９は本発明によるもう一つの通信機器の動作を説明するためのフローチャートである。図９のフローチャートは、グルーピング処理６００の処理に対応する。以降、ＣＰＵ１０の動作をステップ６０１から順に説明していく。
【００８６】
ＣＰＵ１０は、ステップ６００において、グルーピング処理を開始する。
【００８７】
ステップ６０１において、台数管理処理１１０を利用して、通信領域２に置いてある携帯機器を検出する。
【００８８】
ステップ６０２において、グループＩＤ取得処理１２０によって、携帯機器からグループＩＤを取得できるか試す。
【００８９】
ステップ６０３において、ステップ６０２においてグループＩＤが取得できたならば、ステップ６０４へ分岐し、そうでなければ、ステップ６０１へ分岐し処理を繰り返す。
【００９０】
ステップ６０４において、携帯機器ＩＤ取得処理１３０を利用して、ステップ６０１において検出された携帯機器の携帯機器ＩＤを取得する。
【００９１】
ステップ６０５において、携帯機器ＩＤ登録処理１３１を利用して、ステップ６０４において取得したすべての携帯機器ＩＤを登録する。それ以後の動作は実施例１と同様であって、図５のステップ３２０（あるいはコネクタのＡ）へ処理を続ける。
【００９２】
以上の動作により、グループＩＤを公開している携帯機器を置いた場合には、その後に置いた携帯機器とグルーピングを行う動作となる。
【００９３】
以上、説明したように、簡単な操作で、複数の機器のグルーピングを可能とするものであって、さらに、既存のグループに新たなメンバーを加えることができる。
【符号の説明】
【００９４】
１  通信機器本体、２  通信領域、１０  ＣＰＵ、１１  ＲＯＭ、１２  ＲＡＭ、
１３  時計、１９  システムバス、２０  携帯機器検出回路、
２１，２２，２３  機器検出アンテナ、３０  無線通信回路、
３１，３２，３３  無線通信アンテナ、４０  表示回路、４１  ＬＣＤパネル、
５０  有線通信回路、５１  ネットワーク接続端子
【図１】
2017120956.tif 000003
【図２】
2017120956.tif 000004
【図３】
2017120956.tif 000005
【図４】
2017120956.tif 000006
【図５】
2017120956.tif 000007
【図６】
2017120956.tif 000008
【図７】
2017120956.tif 000009
【図８】
2017120956.tif 000010
【図９】
2017120956.tif 000011